(57)【特許請求の範囲】
【請求項１】
体に装着する救命具であって、該救命具は普段は防寒着としても着用でき、該救命具に袋体（１）と該袋体（１）内に密封状態にした中空部（１ｂ）を設け、該中空部（１ｂ）内に圧力を加えると変形し圧力を取り去ると元の形状に戻る復元部材（３）を設け、該袋体（１）に中空部（１ｂ）内へ空気を吸入させる適当長の吸入チューブ（２）に空気吸入口（２ａ）を設け、予め前記復元部材（３）に圧力を加えた変形した状態で中空部（１ｂ）内の空気が抜かれた状態で該空気吸入口（２ａ）を密封状態に塞いでおき、必要時や緊急時に袋体（１）が水中にある状態で該空気吸入口（２ａ）を空中に出して開口して中空部（１ｂ）内へ空気が流入する状態になると、前記復元部材（３）の復元力をＦ２、袋体（１）に加わる水圧をＦ１とすると、水中の袋体（１）にはＦ２＞Ｆ１となる復元力が働いて復元部材（３）が元の形状に戻る変形が起き、その変形に追従して開口した空気吸入口（２ａ）から中空部（１ｂ）内へと空気が吸入されて袋体（１）内全体の容積が増えることで、該袋体（１）全体の浮力が増して袋体（１）を装着した体が浮くようにした救命浮き袋。
【請求項２】
体に装着する救命具であって、該救命具は普段は防寒着としても着用でき、該救命具に袋体（１）と該袋体（１）内に密封状態にした中空部（１ｂ）を設け、該中空部（１ｂ）内に圧力を加えると変形し圧力を取り去ると元の形状に戻る復元部材（３）を設け、該袋体（１）に中空部（１ｂ）内へ水や海水を吸入させる水吸入口（２ｄ）を設け、予め前記復元部材（３）に圧力を加えた変形した状態で中空部（１ｂ）内の空気が抜かれた状態で該水吸入口（２ｄ）を密封状態に塞いでおき、必要時や緊急時に袋体（１）が水中にある状態で該水吸入口（２ｄ）を水中で開口して中空部（１ｂ）内に水や海水が流入する状態になると、前記復元部材（３）の復元力をＦ２、袋体（１）に加わる水圧をＦ１とすると、水中の袋体（１）にはＦ２＞Ｆ１となる復元力が働いて該復元部材（３）が元の形状に戻る変形が起き、その変形に追従して開口した水吸入口（２ｄ）から中空部（１ｂ）内へと水や海水が吸入され、該中空部（１ｂ）内に設けた発泡部（１Ａ）の発泡剤と吸入した水や海水が反応を起して気体を発生して袋体（１）内全体の容積が増えることで、該袋体（１）全体の浮力が増して袋体（１）を装着した体が浮くようにした救命浮き袋。
【請求項３】
前記袋体（１）内に適当量の水や海水を吸入した後に、その適当量吸入した水や海水が発泡部（１Ａ）の発泡剤と反応を始める手段を設けた請求項２記載の救命浮き袋。
【請求項４】
前記救命具が複数の袋体（１）でなり、各袋体（１）内に形成する中空部（１ｂ）どうしを連通孔（１ｃ）で連通し、少なくともひとつの袋体（１）内で吸入した空気が、各中空部（１ｂ）どうしを移動できるようにした請求項１記載の救命浮き袋。
【請求項５】
前記救命具が複数の袋体（１）でなり、各袋体（１）内に形成する中空部（１ｂ）どうしを連通孔（１ｃ）で連通し、少なくともひとつの袋体（１）内で発生した気体が、各中空部（１ｂ）どうしを移動できるようにした請求項２又は３記載の救命浮き袋。
【請求項６】
前記袋体（１）内に設ける発泡部（１Ａ）の発泡剤が水や海水で溶ける水溶材（１１）で内包して設けてなる請求項２，３、５のいずれか１項に記載の救命浮き袋。
【発明の詳細な説明】
【技術分野】
【０００１】
本発明は、海や湖や池や川、それにプールなどで装着する救命具の救命浮き袋に関する。
【背景技術】
【０００２】
夏になると毎年水の犠牲者があとを絶たないのが実情であり、最初泳ぎや水遊びを楽しむつもりが、一つ間違えれば水の犠牲者になりかねない危険をはらんでいる。このように水の犠牲者になってしまうケースとしては、様々なケースが考えられるが、大きくは次の二つの場合が考えられる。
【０００３】
一つは全く泳げないにもかかわらず、足がつかない水深の水の中に入ってしまい、泳げずに窒息して溺れてしまうケースであり、もう一つはある程度は泳げても、体力的に力尽きてそれ以上泳げなくなって結局溺れてしまうケースである。余談であるが、本発明者自身も力尽きて溺れかかった経験があり、９死に１生を得た覚えがある。そこで「溺れる者藁をも掴む」ということわざがあるように、溺れてる者にとって少しでも浮力があって体が浮きさえすれば、呼吸できて命を落さないで済むことになる。これについては図１３（ａ）の記事で実際にペットボトルで助かった実例が参考になる。
【０００４】
そこで体に浮力を与える救命具としては、従来浮き袋やライフジャケットがあり、これらの救命具を身に付けてれば、手足を動かさないでも水面に顔を出して浮いていることができるし、前述のような危機的ケースに巻き込まれたとしても、救助されるまで呼吸できる状態で待つことができるし、最後には救助されて命拾いするケースはかなりありうる。このように浮き袋やライフジャケットは自動車で言えばシートベルトであり、高所作業においては命綱のような存在である。そのため水難事故は、この２つの救命具を身に付けてれば、実際多くの命が守られるのである。
【０００５】
そこで浮き袋やライフジャケットの救命具を身に付けてれば、水面上に十分浮くことができ、水難事故を極力防げるのであるが、しかしながら実際には救命具を身に付けていないのが現状である。これについては図１３（ｂ）の記事を参照。その理由としては次のようなことが考えられる。
●浮き袋の場合
１）浮き袋は子供が身に付けるもので、大人は恥ずかしくて身に付けられない。
２）浮き袋は十分に浮いていることができるが、反面浮力がありすぎて身につけて泳ぐことができない。また、泳ごうとしても浮き袋が両手の邪魔になってうまくストロークできず、泳ぐことが難しい。
●ライフジャケットの場合
１）一般に大人が身に付けてても恥ずかしくはないが、本来は泳ぐ時に身に付けるものではないため、泳ぐ時には身に付けてない。
２）また身に付けて泳ごうとしても、浮力をもったジャケットは浮き袋と同様体から浮き上がってしまい泳ぎにくい。
このような現状があるにしても、特に泳げない者や泳ぎに自信の無い者は、万−の水難事故を考えれば、救命具を常に身に付けておくのが賢明であるが、上記の理由で実際はライフジャケットについては、業務用でもレジャー用でも装着してない場合が多々あるのが現状である。
【０００６】
また従来の救命用のライフジャケットには、普段は平薄な状態になっており、緊急時には備え付けの空気圧縮ボンベで空気をジャケット内に送り込む構造のものや、化学反応を利用して気体を生成しジャケット内に空気を充填させる構造のものがあるが、いずれも高価であって、また空気を充填させる部品や機構で嵩張るため、やはり一部の人しか装着してないのが現状である。それで公知公報にこの化学反応を利用して気体を生成させる発明として特開閉８−１０４２９１号公報があるが、その構成においては実際は浮袋内の空気が水圧によって浮袋の外に流出するだけで、浮袋の外にある水は浮袋内に流入することはない。従って救命具としての役目は果たさない。また公知の技術として実公昭３５−１７６２６号公報、実公昭３５−２２５２５号公報、実公昭４５−１３５６２号公報、実開昭６３−８５４９３号公報等があるが、水泳時や作業時に水着や胴衣とは別に、各考案や発明は体から離して装備する救命具や救命装置であり、そのため常に携帯して持ってなければならず、嵩張る上に作業性が悪く実際に使用するには実用的で無かった。また実開昭６２−８２９００号公報にあっては、前記と同じ理由で実際に気のう内に水や海水が浸水することはなく、気のう内で化学変化が起きることはないし、また特開閉７−２２３５８７号公報にあっては、同様に胴衣内に水や海水が浸水することはなく、逆に気のうや胴衣内の空気が漏れてしまい浮力がさらに無くなってしまう可能性がある。
【０００７】
また発明協会で実施された先行技術調査では、最も近い公知技術として特開平１０−３２９７８９号公報「浮力付与具」と、公開平３−８０９４号公報「救命衣」、公開平１−７０８１４号公報「衣服」が挙げられてるが、本発明とその公知技術との相違点を表１及び表２にまとめてある。まず本発明と特開平１０−３２９７８９号公報「浮力付与具」とを比較すると、その特開平１０−３２９７８９「浮力付与具」で記載してる技術は発明の効果で記載してるように、浮力付与具をコンパクトに収納・保管するための技術であって、本発明の緊急時に水中で袋体を膨らまし救命させる技術とは全く異なる。そしてその技術は既に公知公用の布団圧縮袋に使われてる技術であって、空気中で袋体を膨らますための技術である。そのためその特開平１０−３２９７８９「浮力付与具」を水中に入れて吸排気口を開けても袋体は膨らむことはない。その理由として、まず水中に沈めた袋体内にある浮力材が復元して袋体が膨らむ条件は、（袋体に加わる水圧＜浮力材の復元力）であるが、手で押し潰したぐらいの力で元に戻るような浮力材の復元力では、水中ではその水圧で押し潰されたままであり元の形状には戻らないのと、戻っても僅かであって体が浮くような浮力は得られない。またその特開平１０−３２９７８９「浮力付与具」の構成では、図示してる給排気部１４を水中で開口すれば、当然空気は入らず水しか入ってこない。そして水中で空気を吸入させるには本発明のように水面上に突出する空気吸入口２ａを設けるか、又は適当に長い吸入チューブ２によって水面上に空気吸入口２ａを突出させる構成になってなければならない。従って特開平１０−３２９７８９号公報「浮力付与具」の袋体を膨縮させる技術は、その浮力付与具を空気中でコンパクトに収納・保管することを目的・課題とするものであり、その特開平１０−３２９７８９号公報「浮力付与具」と、公知の公開平３−８０９４号公報「救命衣」、公開平１−７０８１４号公報「衣服」を組合せて本発明を構成することは、その目的・課題が異なりできないし、また組合せたとしても本発明のように水中で救命することはできない。
【０００８】
【表１】
0005563404.tif 000002
【０００９】
【表２】
0005563404.tif 000003
【先行技術文献】
【特許文献】
【００１０】
【特許文献１】特開２０００−３１８６８３号公報、特開２００３−２００８８７号公報、特許公表２００５−５０２５４２号公報、特開閉８−１０４２９１号公報、実公昭３５−１７６２６号公報、実公昭３５−２２５２５号公報、実公昭４５−１３５６２号公報、実開昭６２−８２９００号公報、実開昭６３−８５４９３号公報、特開閉７−２２３５８７号公報、特開平１０−３２９７８９、公開平３−８０９４号公報、公開平１−７０８１４号公報
【発明の概要】
【発明が解決しようとする課題】
【００１１】
本発明は、前述の問題に鑑みてなされたもので、本発明は非常に安価で簡単な構成でもって、大人や子供でも普段装着してても違和感がなく、また装着したままでもなるべく浮力が働かないようにして普通に泳げるようにすることであり、そして緊急時には人為的な操作で浮力が働くようにして、救助を待つ間ずっと呼吸ができるようにすることである。
【課題を解決するための手段】
【００１２】
本発明は、前記課題を解決するために、弾性部材や付勢部材が持つ復元力（圧力を加えると変形して、その圧力を取り去ると元の形状に戻ろうとする力）の作用を利用するもので、袋体内に予め設けた弾性部材や付勢部材に非常に大きな圧力の負荷をかけた状態にしながら、袋体の厚さを平薄状態にしておき、緊急時にはその袋体内の弾性部材や付勢部材に加わる圧力を取り去って無負荷の状態にすることで、その部材が蓄えてた復元力が働いて元の形状に戻ることで、その袋体内へと空気又は水が吸入される構成であり、この袋体内の体積（容積）が弾性部材や付勢部材の復元力で膨張する（元の形状に戻る）ことで、その増加した体積分の空気又は水が流入されることで、体を浮かせる流入した空気又は流入した水と発泡剤との化学反応によって生成した気体分の浮力が増加するため、その増加した浮力分によって体が浮いたまま呼吸できるようになる。また袋体内に液袋を設けておき、袋体の外から引張りや押圧の操作によって、またラッチ状態にある付勢部材３Ｂを解除する操作でその復元力の動きによって、液袋が切り裂かれる構造にすることで、液袋内に封入されてた反応液と袋体内の発泡剤が化学反応して気体が発生することで、生成した気体分の浮力が増加するため、その増加した浮力分によって体が浮いたまま呼吸できるようになる。
【発明の効果】
【００１３】
本発明は、弾性部材や付勢部材の圧力を取り去ると元の形状に戻ろうとする復元力の作用を利用して袋体を膨張させるため、従来の空気圧縮ボンベで空気を送る方式と比べても、非常に簡単な構成であり格段に安価に製作でき、また嵩張らず違和感がないため、装着したままでも各作業や水泳や水遊びができる。そして故障や誤操作の可能性が無い。また従来の方式では装備する空気圧縮ボンベで浮力を得る方法では１度しか使用できないが、本発明の救命浮き袋の流入する空気で浮力を得る方法の構成では袋体内の空気を外側から圧力をかけて排出するか、又は袋体内の空気を外から吸入することで、その袋体内の空気を抜いた負圧の状態にしながら空気吸入部を塞ぐことで、その都度袋体内を密封状態にできるため何度でも使用できる。また水に流されて遭難してる間、体力や体温が奪われないことが救助を長く待つ条件であるが、本発明の救命浮き袋では操作後手足を動かす必要が全く無く、また袋体内に設けた復元部材（特に弾性部材）と吸入した空気は、非常に断熱効果と保温効果があるため、救命浮き袋を装着してる間体表面から体温が奪われるのを極力防ぐ役目をする。
【００１４】
また袋体の外からの簡単な引張りや押圧の操作やラッチを解除する操作によって、袋体内に設けた液袋を切り裂くことができ、簡単な構成でもって袋体に浮力が得られるようになり、非常に実用的な救命具を提供できる。
【００１５】
また本発明の救命浮き袋を装着してれば、いざという時でも助かるという安心感があり、また最初の平薄状態で若干浮力があるようにもできるため、その状態の救命浮き袋であれば体が若干浮いて泳ぎ易くなり、水泳を覚え始める人への救命具であると同時に、水泳補助具ともなる一挙両得の効果が得られる。
【図面の簡単な説明】
【００１６】
【図１】（ａ）（ｂ）本発明の１実施例を実施した斜視図（ｃ）本発明の１実施例を実施した斜視図の一部透視図
【図２】（ａ）本発明の１実施例を実施した正面図（ｂ）（ｃ）（ｄ）本発明の１実施例の（ａ）図でｘ−ｙ方向から見た縦断面図（ｅ）（ｆ）本発明の１実施例の一部を拡大した縦断面図
【図３】（ａ）（ｂ）本発明の１実施例の一部の斜視図（ｃ）（ｄ）本発明の１実施例の一部の横断面図（ｅ）本発明の１実施例の一部の縦断面図
【図４】（ａ）本発明の１実施例を実施した斜視図（ｂ）（ｃ）本発明の１実施例の横断面図
【図５】（ａ）（ｂ）本発明の１実施例の一部の斜視図（ｃ）（ｄ）本発明の１実施例の一部の正面図
【図６】（ａ）（ｂ）（ｃ）本発明を実施した正面図
【図７】（ａ）本発明の１実施例を実施した正面図（ｂ）本発明の１実施例を実施した斜視図（ｃ）（ｅ）本発明の１実施例の（ａ）図でｘ−ｙ方向から見た縦断面図（ｄ）（ｆ）（ｇ）本発明の１実施例の一部を拡大した縦断面図
【図８】（ａ）本発明の１実施例を実施した正面図（ｂ）本発明の１実施例を実施した斜視図（ｃ）（ｅ）本発明の１実施例の（ａ）図でｘ−ｙ方向から見た縦断面図（ｄ）（ｆ）本発明の１実施例の一部を拡大した縦断面図
【図９】（ａ）本発明の１実施例を実施した正面図（ｂ）本発明の１実施例を実施した斜視図（ｃ）（ｅ）本発明の１実施例の（ａ）図でｘ−ｙ方向から見た縦断面図（ｄ）（ｆ）本発明の１実施例の一部を拡大した縦断面図
【図１０】（ａ）本発明の１実施例を実施した斜視図（ｂ）（ｃ）本発明の１実施例の横断面図
【図１１】（ａ）本発明の原理を示す縦断面図（ｂ）本発明を実施した正面図
【図１２】本発明の１実施例の一部を拡大した縦断面図
【図１３】（ａ）（ｂ）本発明に関連した記事の平面図
【図１４】（ａ）（ｂ）本発明の１実施例を示す透視した正面図（ｃ）（ｄ）本発明の１実施例の一部の正面図
【図１５】（ａ）（ｂ）本発明の１実施例を示す透視した正面図（ｃ）（ｄ）本発明の１実施例の一部の正面図
【図１６】（ａ）本発明の１実施例の一部の正面図（ｂ）本発明の１実施例の一部の（ａ）図でｘ−ｙ方向から見た縦断面図（ｃ）（ｄ）本発明の１実施例の一部の正面図（ｅ）本発明の１実施例の一部の縦断面図
【図１７】（ａ）本発明の１実施例の一部の正面図（ｂ）本発明の１実施例の一部の（ａ）図でｘ−ｙ方向から見た縦断面図（ｃ）（ｄ）本発明の１実施例の一部の正面図（ｅ）本発明の１実施例の一部の縦断面図
【図１８】（ａ）本発明の１実施例の一部の正面図（ｂ）本発明の１実施例の一部の縦断面図（ｃ）本発明の１実施例を示す透視した正面図
【図１９】（ａ）（ｂ）本発明の１実施例の一部の縦断面図（ｃ）本発明の１実施例の一部の正面図（ｄ）本発明の１実施例の一部の（ｃ）図でｘ−ｙ方向から見た縦断面図
【図２０】（ａ）本発明の１実施例を示す透視した正面図（ｂ）本発明の１実施例の一部の縦断面図（ｃ）（ｄ）本発明の１実施例の一部を拡大した縦断面図
【図２１】（ａ）（ｃ）本発明の１実施例を示す透視した正面図（ｂ）（ｄ）本発明の１実施例の一部を拡大した縦断面図
【実施例１】
【００１７】
本発明の救命浮き袋の実施例の構成を各図面を基に詳細に説明する。図１〜図４は袋体内に流入する空気で浮力を得る構成であり、図１、図２は肩から体周りに装着する救命浮き袋の実施例を示し、図４は胴周りに装着する救命浮き袋の実施例を示す。また図７〜図１０は袋体内に流入する水（又は海水）で化学反応を起して気体を生成して浮力を得る構成であり、図７〜図９は肩から体周りに装着する救命浮き袋の実施例を示し、図１０は胴周りに装着する救命浮き袋の実施例を示す。
【００１８】
図１、図２に図示する本発明の救命浮き袋は、女性が陸上競技やビーチバレーで装着するウエアの形状であるが、男女共に装着できる。図１（ａ）はその救命浮き袋の斜視図を示し、図１（ｂ）は実際に体に装着した状態を示す。図２（ａ）はその救命浮き袋の正面図を示し、図２（ｂ）（ｃ）（ｄ）はそのｘ−ｙ方向から見た縦断面図である。
【００１９】
図２（ｂ）に図示するように、本発明の救命浮き袋を構成する袋体１内に、外気と密封状態にした中空部１ｂを形成しており、袋体１の上部にはその中空部１ｂ内へと外気を吸入させる吸入チューブ２を設けている。この外気を吸入する吸入チューブ２は、袋体１の上部に空気流入口１ａを形成して固定部２ｂでしっかり固定されており、容易に外れることがない。そして吸入チューブ２の先端部分には外気を取り入れる空気吸入口２ａを設けている。１つの実施例として空気吸入口２ａは、図３に示すように外気を取り入れる吸入口に蓋をして、人為的に密封状態や開口状態にできる構造になっている。
【００２０】
この構成で中空部１ｂ内に復元部材３として、外側から圧力（負荷）を加えると変形し、圧力（負荷）を取り去ると無負荷の元の形状に戻る部材を設けて充填する。この復元部材３としては弾性を有する発泡材等の弾性部材３Ａや、圧力を加えると変形してその圧力を取り去ると元の形状に戻る付勢部材３Ｂ等で実施できる。そして弾性部材３Ａとしては、実施例として発泡プラスチックで実施でき、この発泡プラスチックに連続型と不連続型とあり、発泡プラスチックとしては発泡ポリスチレン、発泡ポリウレタン（スポンジ）、発泡ポリエチレン、発泡ポリプロピレン等で実施できます。いずれも弾性があり、その部材に圧力を加えるとその圧力に比例して体積が小さくなる変形をしますし、その圧力を取り去るとその弾性力で元の形状の体積に戻ります。この変形において、その変形する過程で発泡プラスチック内へと空気の吸入や排出がなされるため、発泡プラスチックを中空部１ｂ内に入れて密封し、その中空部１ｂ内の空気を抜き去るか、又はその中空部１ｂに外から圧力を加えると、内包した発泡プラスチックの外形が小さくなる変形をするため、その袋体１全体は体積が小さくなる変形をします。次に中空部１ｂに空気が入る状態にすると、その中空部１ｂは発泡プラスチックの持つ弾性の復元力でもって元の容積に戻ると同時に、その袋体１全体も元の外形（体積）に戻ります。また付勢部材３Ｂでの実施例として、中空部１ｂ内に予め図５（ｃ）（ｄ）に示すような板バネや押しバネ等の付勢部材３Ｂを設けておき、中空部１ｂ内の空気を抜き去るか、又はその付勢部材３Ｂに対して袋体１の外側から圧力を加えることで、その袋体１全体の体積が小さくなる変形をするため、弾性部材３Ａと同様に本発明を実施できます。ここで付勢部材３Ｂとしては鉄材等の金属以外に例えば可撓性があるプラスチック材やゴム材等でも実施できます。また弾性部材３Ａもプラスチック材以外に弾性のある部材、例えばゴム材等で実施できます。
【００２１】
このように本発明は密封した中空部１ｂ内に設けた弾性部材３Ａや付勢部材３Ｂが、圧力を取り去り無負荷の状態にすると元の形状に戻る復元する性質を利用するものであり、いずれの部材も外側から圧力を加えて負荷をかけると体積が小さくなる又は屈曲する変形をし、圧力を取り去ると元の体積の大きさや形状に戻ります。そしてこの弾性部材３Ａ又は付勢部材３Ｂの変形でもって密封した中空部１ｂ内には空気の流入がなされるため、本発明はこの復元部材３への圧力の増減によって復元する性質を利用し、中空部１ｂ内に空気が吸排出する作用を利用するもので、まさに自然法則を利用した発明です。
【００２２】
次に本発明の救命浮き袋の製作方法についての１例を示します。まず図２（ｄ）に示すように、予め袋体１内の中空部１ｂ内に弾性部材３Ａとして、発泡プラスチックであるメラミンフォーム（Melamine Form）を内包しておき、次に中空部１ｂ内の空気を抜き去るために、吸入チューブ２から空気を例えば真空ポンプ装置で吸引して中の空気を抜き去ってもよいし、又は袋体１全体を例えばプレス機でプレスすることで、中空部１ｂ内の空気を排出させることもできます。この中空部１ｂ内から空気を抜き去った後に、図３（ａ）に示すように空気吸入口２ａの開口を密封状態に蓋するか、又は開口部分を熱圧着等で融着（ラミネート）して完全に密閉状態に塞ぐことで、袋体１全体を図２（ｃ）に示すような平薄状態に形成できる。実際に本発明者が厚さ３２ｍｍのメラミンフォーム（Melamine Form）にかなり大きな圧力を加えてプレスしたところ、その厚さ３２ｍｍのメラミンフォームが僅か厚さ１ｍｍまで圧縮することができた。このように実際に厚さ１ｍｍに圧縮したメラミンフォーム（Melamine Form）で袋体１を形成すれば、ほとんど浮力が出ない一般の水着やトライアスロン等の競技でのスポーツ用ウエアとほとんど変らなくなる。
【００２３】
次に本発明の救命浮き袋を装着して操作する方法を説明します。図１（ｂ）は救命浮き袋を装着した状態を示したもので、平薄状にした袋体１は嵩張らず体にフィットして装着できます。ここで袋体１内の中空部１ｂ内に空気を送り込む吸入チューブ２は、適当に曲げて図示しない袋体１の裏面に設けたポケット内に、１例として渦巻状に収納しておくことができます。また図１（ｃ）に示すように、吸入チューブ２を袋体１内の中空部１ｂ内にそのまま挿入して収納することもできます。吸入チューブ２の形状は図３（ｃ）（ｄ）に示すように、断面が丸い形状でもよいし、断面が楕円の形状でもよく、楕円形状であれば平薄状態にして収納でき、その図３（ｄ）に示す楕円の形状では袋体１が非常に負圧状態になると、その吸入チューブ２内は隙間が無い板状になるため、嵩張らず収納することができます。また実施例として図１（ｂ）に示すように、吸入チューブ２がその弾力（可撓性）によって自立し立つように構成して実施することもできます。
【００２４】
本実施例の救命浮き袋によって図６（ａ）に示すように、救命浮き袋を装着したまま泳ぐことができ、この救命浮き袋は平薄状であるため、袋体１全体の浮力が働かず極力泳ぎの妨げにならないです。また若干袋体１全体に浮力があるように中空部１ｂ内への空気の封入具合を調整でき、その場合体の前方が若干浮くようになるため泳ぎ易くなり、水泳を覚え始める人へ救命具として安心感を与えると同時に、水泳補助具にもなります。この袋体１の浮力具合は使用者が適当に設定することも可能です。
【００２５】
次に図６（ｂ）に示すように、泳ぐ体力が尽きてしまった場合や、又は泳げない人が深みにはまったり沖に流されて足が着かない状態になった時は、袋体１に収納してる吸入チューブ２を取り出し、その吸入チューブ２の先端にある空気吸入口２ａを図３（ｂ）に示すように、開口（この実施例の場合は蓋を開ける）させることができます。すると袋体１内の中空部１ｂ内で圧縮して充填されてた（負荷がかかった状態にある）発泡材の弾性部材３Ａが、無負荷になってその復元（弾性）力によって元の形状に戻ろうと膨張すると共に、その弾性部材３Ａの形状が元に戻ろうとする膨張によって中空部１ｂ内の容積が増えることで、その増えた容積分の空気が開口させた空気吸入口２ａから中空部１ｂ内へと吸入されます。そしてその吸入した空気分の浮力が袋体１全体に働くため、図６（ｂ）に示すように装着した人は顔を水面に出したまま呼吸できますし、その状態で救助を待つことができます。図２（ｅ）は、空気吸入口２ａの固定部２ｂに空気弁２ｃを設けた構成であるが、この構成にすることで一旦中空部１ｂ内に吸入した空気は、この空気弁２ｃの働きで蓋されて、一旦中空部１ｂ内に吸入された空気が空気チューブ２へ逆流することを防いでくれます。この空気弁２ｃは既製の浮き袋に付いてる弁と同様の構造で実施でき、例えば中空部１ｂ内にある空気を抜きたい場合は、固定部２ｂを指で摘んで空気弁２ｃを開くようにすると空気を抜くことができます。実際には本発明の救命浮き袋を装着して実際に袋体１全体が浮力で浮いた状態であると、空気吸入口２ａが開口したままでも水が空気吸入口２ａから中空部１ｂ内へと入ってくることはないです。
【００２６】
ここで袋体１に加わる水圧Ｆ１と、弾性部材３Ａの復元力Ｆ２との関係を図２（ｆ）で説明すると、袋体１を水の中に沈めるとその水深に比例して袋体１表面には水圧Ｆ１が垂直に働きます。この袋体１の表面に働く水圧Ｆ１は、袋体１内の中空部１ｂ内でもパスカルの原理で均一に内部全体に圧力が働くため、中空部１ｂ内に設けた弾性部材３Ａにはどの部分にも水圧Ｆ１が加わります。そこで予め弾性部材３Ａに力を加えて変形させた弾性部材３Ａが、元の形状に戻ろうとする復元力をＦ２とすると、復元力Ｆ２＞水圧Ｆ１の関係であれば、袋体１は自ずと空気吸入口２ａから空気を吸入しながら膨らみます。そこで本発明者は実際に弾性部材３Ａとして、発泡プラスチックのメラミンフォーム（Melamine Form）でなる弾性部材３Ａを袋体１内に充填し、非常に大きな圧力をかけて平薄状態に圧縮した後、袋体１を水深５０ｃｍまで沈めたところ、袋体１はそのメラミンフォームの復元力で元の形状に戻りながら、空気吸入口２ａから空気を吸入して膨らんだことから、この発泡材であるメラミンフォームの復元力Ｆ２は、水深５０ｃｍでの水圧Ｆ１よりも大きいことを実際の試験で確認できました。従って例えば発泡プラスチックとしてメラミンフォームでなる弾性部材３Ａを予め袋体１内の中空部１ｂ内に圧縮充填しておけば、図６（ｂ）の状態で頭が水の中に沈んだ状態でも、吸入チューブ２の先端にある空気吸入口２ａを握って水面上に出し、その水面上に出した状態で空気吸入口２ａを開口させれば、その空気吸入口２ａから吸入した空気が水中にある袋体１内へと吸入され、その吸入した空気分の浮力によって、頭を水面上に出して呼吸できる状態にできます。この時に実際溺れかけてる人にとっては、呼吸できる状態になるか否かは助かるかどうかの非常に大きな分岐点になります。また力尽きて泳げなくなった人にとっても、手足を動かさずに浮いたまま呼吸できる状態になれば、助かる上で非常に大きな支えになり、本発明の救命浮き袋によって実際救助される人が少なくないはずです。実際に水の事故は一瞬であり、泳げない人が足が着かない状態になれば、自力ではもはや身を守ることができなくなります。そのほんの一瞬によって毎年夏に水の犠牲者が出てしまう現実があり、そのため水に近づく際に本発明の救命浮き袋を装着しておくことで、水の犠牲者を一人でも少なくできれば本望なことです。
【００２７】
尚、吸入チューブ２の先端の空気吸入口２ａの構造については、図３（ａ）（ｂ）で示した以外の構造で、吸入口を開ける構造であればどんな構造の空気吸入口２ａで構成して実施してもよい。例えば図３（ｅ）に示すように、吸入チューブ２の横に切り込みを入れておき、その上方に形成した輪部分に指を入れて上方に引張り、前記の切込みから空気吸入口２ａを開口する構造にすることもできる。そしてどの空気吸入口２ａの構造も片手で開口できる構造が望ましい。
【００２８】
図４は、本発明の救命浮き袋の第２の実施例を示すものである。図に示すように複数設けた袋体１内に中空部１ｂを各形成し、中空部１ｂどうしを互いに連通孔１ｃで連結させた構成である。この構成で各袋体１内の中空部１ｂ内に復元部材３を充填しておき、各中空部１ｂどうしを連通孔１ｃによって空気が自由に移動できる状態にできる。図４（ｂ）は中空部１ｂ内の弾性部材３Ａを圧縮して充填した状態であり、図４（ｃ）は空気吸入口２ａが開口されて、弾性部材３Ａの復元力で空気が空気吸入口２ａから吸入されて袋体１が元の形状に戻った状態を示す。パスカルの原理で密封した袋内ではどこも均一な圧力が働くため、各袋体１はどの袋体１内も同じ圧力で圧縮され、そして空気吸入口２ａから空気が吸入されると、各袋体１はどれも同じ圧力で膨張します。本実施例の構成では救命浮き袋を胴回りに捲いて装着でき、図６（ｃ）に示すようにその状態で泳いだり水遊びができます。そして緊急時には救命浮き袋を胴上部にずらすことで、図６（ｂ）に示すように頭を水面上に出しながら浮いたまま呼吸ができる状態になり、そのまま手足を動かさずにいつまでも浮いたままでいられます。本実施例の構成では、救命浮き袋を胴回りに捲いて装着する係止バンド４を設けてあり、留め金で留めることで胴周りにしっかり固定できます。係止バンド４としてはしっかり固定できる構造が望ましく、例えば面ファスナー（登録商標：マジックテープ）では外れてしまう不安があるため、係止バンド４は係止がロック状態になる構造であることが望ましい。
【００２９】
本発明の救命浮き袋の構成において、空気吸入口２ａの構造は吸入口を開口できる構造であればどんな構造でもよく、できれば片手で開口操作できる構造が望ましい。また吸入チューブ２の太さや長さも適宜設定してよく、吸入チューブ２の長さについては、溺れてる人でも確実に水面上に出して操作できるように、手を目いっぱい伸ばした長さまで設定することができる。また袋体１内に圧縮充填する弾性部材３Ａの構造も、図５（ａ）（ｂ）に示すように弾性部材３Ａに複数の凹凸部３ａを形成した構造にしてもよい。この構造であれば強い復元力を持つ弾性部材３Ａで実施でき、充填する弾性部材３Ａの量も少なくて済み、弾性部材３Ａが元の形状に戻る時間も速くなります。
【００３０】
本発明の救命浮き袋では、袋体１内に設けた復元部材３（特に弾性部材３Ａ）と袋体１内に吸入した空気は、比熱が非常に高いため断熱効果と保温効果があり、本発明の救命浮き袋を装着してれば、装着する体表面から体温が奪われるのを極力防いでくれ、体温がその分奪われ難くなるため救助を待つ時間を長くできます。そして本発明の救命浮き袋は嵩張らないため、普段防寒着として着用することも可能です。
【００３１】
また従来の救命具の方式では、装備する空気圧縮ボンベは１度しか使用できなかったのに対して、本実施例の救命浮き袋では袋体１内の空気を外側から圧力をかけて排出するか、又は袋体１内の空気を外から吸引することで、その袋体１内の空気を抜いた状態で空気吸入口２ａを蓋することによって、その都度袋体１内を密封状態にでき何度でも使用できます。
【００３２】
図７〜図９は、本発明の救命浮き袋の第３実施例を示したものである。前実施例の構成では水面上の空気を吸入して、その空気で袋体１に浮力が得られるようにした構成であるが、本実施例の構成ではプールや川や池の水や海の海水を吸入しても、袋体１に浮力が得られるようにした構成である。その課題を解決実施するための構成として、水と化学反応して気体を発生する発泡剤を利用する。発泡剤としては例えば入浴時に入れる入浴剤で実施でき、実際に本発明者は市販されてる入浴剤として、成分に炭酸水素ナトリウム、炭酸ナトリウム、フマル酸、ポリエチレングリコール６０００、デキストリン、パラフェノールスルホン酸亜鉛、酸化マグネシウム、ショ糖脂肪酸エステル等を含有した入浴剤で図１１（ａ）に示す試験をしてみた。まず２００ｃｃのビンに図のように水を８分目まで注ぎ、砕いて粉状にした前記の入浴剤１８ｇを水の中に入れて、図のように開口がある蓋をして急いで逆さまにしてみた。するともの凄い勢いで気体（炭酸ガス）が発生し、下向きの開口から勢いよく水が噴出し、ビンの中の水は生成した気体（炭酸ガス）によって押し出され、僅か数秒で無くなってしまった。このためこの勢いよく生成する気体（炭酸ガス）を袋体１内で生成して充填できれば、前実施例と同様に袋体１に浮力が得られて水面に浮くことができます。
【００３３】
そこで本実施例の構成も前実施例と同様に、復元部材である弾性部材３Ａや付勢部材３Ｂが持つ復元力（圧力を加えると変形して、その圧力を取り去ると元の形状に戻ろうとする力）の作用を利用するもので、その構成を図面を基に詳細に説明する。
【００３４】
図７において、袋体１の上部に水吸入口２ｄを設け、その水吸入口２ｄから吸入した水を袋体１内の中空部１ｂ内の下方へと送る吸入チューブ２を、図のように中空部１ｂ内に設ける。そしてその吸入チューブ２の排出口の下方には、弾性部材３Ａと発泡剤を充填した発泡部１Ａを併設させて設けた構成である。この構成で図７（ｃ）（ｄ）に示すように、予め袋体１内の中空部１ｂ内の空気を真空ポンプ等で吸引して真空状態にするか、或いは袋体１全体を強い圧力をかけてプレスし、平薄状にして内部の空気を十分抜いた状態で水吸入口２ｄを塞いで袋体１内を密封状態にしておく。その状態では中空部１ｂ内で下方に設けてある弾性部材３Ａには、常に圧縮する圧力（負荷）が加わっており、その状態ではその弾性部材３Ａは元の形状に戻ろうとする復元力が蓄えられた状態にある。その状態で図７（ｇ）に示すように、水吸入口２ｄの蓋を開口させると、中空部１ｂ内には水が吸入されると同時に、弾性部材３Ａには圧力が加わらなくなる無負荷の状態になるため、その弾性部材３Ａの復元力によって圧縮された密の状態から元の粗の状態に戻ろうとし、その弾性部材３Ａの変形による体積の増加で中空部１ｂ内は負圧状態になり、その中空部１ｂ内で負圧になった分水吸入口２ｄの吸入口から矢印方向へと水が吸入される。そしてその吸入された水は、中空部１ｂ内の下方に設けてある発泡部１Ａ上に注がれ、発泡部１Ａの発泡剤と注がれた水が化学反応を起して気体を生成始める。その生成した気体（炭酸ガス）は中空部１ｂ内で増えていきながら充満し、図７（ｅ）の状態ではその生成して充満した気体（炭酸ガス）によって、袋体１全体の浮力が発生するため、本実施例の救命浮き袋を装着してれば、その発生した浮力でもって水面に浮かぶことができる。尚、中空部１ｂ内に設ける発泡剤の量は、吸入される水と反応して生成する気体量が中空部１ｂ内でいっぱいになる量であればよく、その分量が生成された後は水吸入口２ｄを再び蓋することで、中の生成した気体が外へ漏れることがない。また本実施例の構成で水吸入口２ｄに通じる吸入チューブ２内に図２（ｅ）で示した弁を水を吸入する方向のみ開くように設けることで、袋体１内で生成した気体が外に出ることがない。尚、発泡剤を予め弾性部材３Ａ内に含浸させておいてもよく、それにより弾性部材３Ａが膨張する際に水を吸収しながら発泡剤と反応して気体を生成することになる。
【００３５】
図８は、袋体１内の中空部１ｂ内へと空気を吸入しても、又は水を吸入しても、中空部１ｂ内が膨張して袋体１が浮力が得られる構成にしたものである。まず水面上の空気を吸入する場合は、前実施例の図１、図２で示したように、図８（ｃ）の状態にして空気吸入口２ａを水面上に出して開口させる。すると予め中空部１ｂ内全体に圧縮充填していた弾性部材３Ａの復元力が働き、開口した空気吸入口２ａから空気が中空部１ｂ内へと吸入され、袋体１全体が膨張して図８（ｅ）の状態になる。そして前実施例と同様に袋体１全体に浮力が得られるため、水面上に浮くことができる。次にその空気吸入口２ａは水吸入口２ｄとしても兼用でき、その水吸入口２ｄとして水の中で開口させると、中空部１ｂ内に設けた弾性部材３Ａの復元力が働いて膨張し、同時に中空部１ｂ内が負圧状態になるため、水吸入口２ｄから水が吸入され、その吸入した水は予め中空部１ｂ内の下方に設けておいた発泡部１Ａの発泡剤上に注がれる。そのため発泡剤とその吸入した水が化学反応を起して前実施例と同様に気体（炭酸ガス）を発生する。その気体（炭酸ガス）は弾性部材３Ａが同時に膨張するため、弾性部材３Ａ内へと吸引されながら膨張する。そして図８（ｅ）の状態になり、袋体１全体の浮力が得られて水面上に浮くことができる。この実施例の構成では中空部１ｂ内に設けた弾性部材３Ａの復元力が常に働いてるため、その復元力によって中空部１ｂがしぼむことがなく、そのため発泡剤の気体生成反応が終了しても水吸入口２ｄから水が流入してくることがなく、前実施例のように弁を設ける必要はない。溺れてる際は冷静さを欠いて図６（ｂ）のように空気吸入口２ａを水面上に出して開口させることができなくても、本実施例の構成では空気吸入口２ａが水吸入口２ｄも兼用しており、その水吸入口２ｄを水中に入れたままで開口しても水が中空部１ｂ内へと流入され、その水が発泡剤と気体生成反応を起こすため、水の中で水吸入口２ｄを開口しても同様に図８（ｅ）の状態になり、袋体１全体に浮力が得られて水面上に浮くことができる。
【００３６】
図９は、水吸入口２ｄを袋体１の下部に設けた構成である。溺れてる際は冷静さを欠いており、図１１（ｂ）の状態で体が水中に沈んでる時は、前実施例のように空気吸入口２ａや水吸入口２ｄが袋体１の上部に設けてあると操作し難い。そこで本実施例のように水吸入口２ｄを袋体１の下部に設け、水中で水吸入口２ｄを操作（開口）することによっても、袋体１を膨らまして水面へと浮上することができます。本実施例の構成において図９（ｃ）の平薄の状態にしておき、予め中空部１ｂ内の下部に圧縮充填させた弾性部材３Ａを設けておく。その弾性部材３Ａと併設させ発泡剤の発泡部１Ａを設ける。そして図９（ｅ）（ｆ）に示すように水吸入口２ｄを水の中で開口させると、弾性部材３Ａは復元力が働いて膨張するため、中空部１ｂ内が負圧状態になり、その状態で水吸入口２ｄから水が吸入される。そしてその吸入された水が発泡剤に浸水して化学反応を起すことで気体（炭酸ガス）を生成し、その生成した気体（炭酸ガス）によって中空部１ｂ内が充満して広がるため、袋体１全体が膨張して前実施例と同様に袋体１が浮力を得られるようになって水面上に浮くことができます。尚、本事例の構成では水吸入口２ｄの開口部分にフィルタ５を設けてあり、そのフィルタ５を介して水が浸透して発泡剤に浸水するようになっており、このフィルタ５によって発泡剤が水吸入口２ｄの開口から漏れ出ることを防いでいる。
【００３７】
図１０は、本発明の第４実施例を示したもので、救命浮き袋を図４で示した構成から、ひとつの袋体１内に弾性部材３Ａと併設させて発泡剤の発泡部１Ａを設けたものである。この構成でその袋体１に設けた水吸入口２ｄを開口させることで、前実施例と同様に水吸入口２ｄから流入する水と発泡剤とが化学反応を起し、その化学反応で生成する気体（炭酸ガス）によって中空部１ｂ内が充満して広がるため、その生成した気体（炭酸ガス）によって各連通孔１ｃで連通する各袋体１が膨張させ、前実施例と同様に各袋体１が浮力を得られるようになります。
【００３８】
本実施例の図７、図９、図１０の構成で、弾性部材３Ａを充填してない中空部１ｂを構成してるが、各実施例の構成とも弾性部材３Ａを中空部１ｂ内全体に充填して構成してもよいし、中空部１ｂ内の適当な部分のみに充填して構成してもよい。また水と反応して発熱する化学部材（アルミニウム粉末と生石灰の粉末等）を中空部１ｂ内に適量包含して構成してもよい。各実施例の袋体１や吸入チューブ２や空気吸入口２ａや水吸入口２ｄは、塩化ビニール等の樹脂で形成して実施できる。本発明の救命浮き袋は断熱性と保温性があるため、救命具のみならず普段着る防寒着として着用することも可能である。またその形状もベストの形にして、例えば前をチャックで開閉して留めるようにも構成できる。また空気吸入口２ａや水吸入口２ｄも図３（ａ）（ｂ）で示した蓋で開閉する構成以外に、例えば空気吸入口２ａや水吸入口２ｄの先端部を強制的に破って開口させる構成にしてもよい。また水や海水と化学反応を起して気体（炭酸ガス）を生成させる発泡剤としては、炭酸水素ナトリウムと酒石酸を主材料にて設けてもよく、またクエン酸と重曹を分離しておき、流入した水によって混ざり合って化学反応を起し気体を生成するようにしてもよい。尚、前記した各実施例の構成において、特に吸入チューブ２を設けないでもよく、中空部１ｂ内に直接空気を吸入させる空気吸入口２ａや中空部１ｂ内に直接水や海水を吸入させる水吸入口２ｄのみ設けて構成し実施してもよい。その構成でも復元部材３に復元力が働くように、発泡部１Ａの発泡剤には吸入した水や海水が注がれるように適当な位置に設けることで実施可能である。
【００３９】
図１２は、空気吸入口２ａが水中に沈まないで空気を吸い込むように構成したものである。溺れかかると冷静さを欠くため、空気吸入口２ａを確実に水面上に出し難い。そのためこの構成は例え水中で空気吸入口２ａを開口しても、必ず水面上に出るようにしたもので、図のように吸入チューブ２の周りに適当な大きさで水を吸い込まない弾性部材３Ａを設ける。そして予め筒体６内に圧縮した状態で納めておき、緊急時はこの筒体６を上方に持ち上げることで、この弾性部材３Ａが筒体６内から開放され、その復元力で元の球状の大きさに戻る。するとその弾性部材３Ａには浮力が働くため水面上に浮き、空気吸入口２ａは常に水面上に出た状態になり空気を吸入することができる。尚、筒体６を上方に引張る操作で同時に空気吸入口２ａが開口する構造にしてもよい。
【００４０】
図１４〜図１８に示す実施例の構成において、図１４〜図１５は本発明の第５実施例、図１６〜図１７は本発明の第６実施例、図１８は本発明の第７実施例を示すもので、いずれの構成も前実施例と同様に袋体１の外側からの操作で袋体１を膨らまして浮力が得られるようにした実施例の構成である。
【００４１】
図１４において、図（ｂ）に示すように袋体１内に前実施例と同様に密封状態にした中空部１ｂを形成する。そして袋体１内の下側に図のように液体と反応して気体を発生する発泡剤の発泡部１Ａを設ける。この発泡部１Ａは発泡剤を剥き出しのまま設けてもよいが、発泡剤を布やガーゼや液体で溶ける紙等で包んで設けてもよい。また発泡剤を後述する水溶材１１で内包して設けてもよい。次に袋体１の下側中央に図のように凹状になったポケット部１Ｂを形成する。このポケット部１Ｂの形状は袋体１の下側中央を凹形状に形成してもよいが、凸形状の舌ベらのような形にして袋体１内に突出するように形成して設けてもよい。次に図（ｃ）（ｄ）でこの袋体１内に設ける液袋７について説明する。液袋７はポリエチレン等で形成し、図（ｃ）に示すように前記の発泡剤と反応して気体を発生する反応液９を密封状態に封入してあり、この液袋７はその周端部を熱圧着で接合した接合部７ｄを形成している。その状態での反応液９は液袋７内で密封されてるため漏れ出ることはない。次に液袋７の周端部分の接合部７ｄを図のように両端部には楔形に切り欠いた切り込み７ａ、７ａと、三角形状に開口した開口部７ｂと、円形状に開口した引張り孔７ｃを形成する。次にその液袋７を図（ａ）に示すように袋体１内に貼り付けて固定し、液袋７の下端部に形成した引張り孔７ｃをポケット部１Ｂ内で突出させ、袋体１を密封状態にして設ける。袋体１内での液袋７の固定方法として、図（ｄ）に示すように切り込み７ａ、７ａより上側の部分の裏全面に貼付け部７ｅを形成して、袋体１の内面にその貼付け部７ｅの面を貼り付けて固定する。その状態で図（ａ）の状態からポケット部１Ｂ内に突出した引張り孔７ｃを人差指を掛けて下方に力を入れて引張ると、その指で引張り孔７ｃを下方に引く力は、図（ｄ）に矢印で示すように液袋７の端部分に形成した左右の接合部７ｄ部分に集中的に加わるため、そして切り込み７ａ、７ａの上側の裏全面が袋体１の内面に貼り付けて固定してあるため、その下方に引く力は切り込み７ａ、７ａ部分にもろに加わり、それによって楔状に切り欠いた切り込み７ａ、７ａから液袋７が切り裂かれ、そして液袋７内の反応液９が漏れ出し、その漏れ出した反応液９は重力によって下方に流れながら、発泡部１Ａの発泡剤と混じり合うことで化学反応を起して気体を発生し始める。そしてその発生した気体は袋体１内の中空部１ｂ内で充満するため、その結果袋体１は水の中ではその発生した気体によって浮力が得られる。
【００４２】
尚、本発明者は実際に厚さ０.０８ｍｍのポリエチレンでなる袋で試験したが、樹脂でなる袋は引張り方向に対しては強度がかなり強く、かなり大きな力で引張っても切れたり破れたりすることがない。それに対して切り裂く方向に対する強度はかなり弱く、わずかな力で引張れば切り裂くことができ、図１４（ａ）に示した状態で引張り孔７ｃを下方に引けば、液袋７を容易に切り裂くことができる。そのためその液袋７内に封入してた反応液９は、すぐに漏れ出して発泡剤と化学反応が起き、発生する気体によって数秒後には袋体１には浮力が得られる。尚、操作する引張り孔７ｃはポケット部１Ｂ内に隠れた状態で設けてあるため、その状態では意図してポケット部１Ｂ内に指を入れて引張り孔７ｃを引張らない限り、袋体１が膨らんでしまうことがない。また図（ａ）の構成でポケット部１Ｂ部分を特に密封させなくても発生した気体は上方に上昇して溜まるため、浮力が得られて実施できるが、中の気体が袋体１から漏れないようにするためにも、完全に密封させることが望ましい。
【００４３】
図１５は、袋体１の上端部で操作できるようにした実施例の構成である。図（ｂ）に示すように袋体１内の下側に発泡部１Ａを形成し、袋体１の上端部に前実施例と同様にポケット部１Ｂを形成する。次に図（ｃ）に示すように液袋７内に反応液９を封入して周端部を接合して接合部７ｄを形成し、その液袋７の下側の両端部分に切り込み７ａ、７ａと、上側に三角形状に開口した開口部７ｂと、円形状に開口した引張り孔７ｃを形成する。そして図（ｄ）に示すように、切り込み７ａ、７ａの下側の裏全面に貼付け部７ｅを形成し、その液袋７を図（ａ）に示すように袋体１の内面に貼り付けて固定する。その状態で引張り孔７ｃに人差指を入れて上方に引張ると、袋体１には図（ｄ）に示す矢印の向きの力が加わるため、切り込み７ａ、７ａから切り裂かれ、前実施例と同様に漏れ出た反応液９と発泡剤とが化学反応して気体を発生し、袋体１は浮力が得られるになる。
【００４４】
図１４、図１５の構成も袋体１の外側から引張る力が、袋体１内に設けた液袋７の特定の部分に加わり、その部分で液袋７が切り裂かれる構造になっている。尚、実施例で示した切り込み７ａ、７ａ以外に、例えばミシン目等を液袋７の特定部分に形成してその部分で切り裂かれるようにしてもよい。このように液袋７に切り込みやミシン目等の切り裂かれ易い特定部分を形成することで、袋体１の外から引張る力はその特定部分に集中して加わって切り裂くように作用するため、袋体１の外から引張る力によって液袋７を容易に切り裂くことができる。
【００４５】
図１６、図１７は、液袋７の切り欠き操作を袋体１の外側から押圧操作によって実施するようにした実施例の構成を示す。
【００４６】
図１６において、図（ｃ）に示すように液袋７内の下側に適当な厚さで対向する弧状の介在板７ｆを、手前の液袋７の内面に（又は液袋７の一方の外面に）貼り付けて固定し設ける。その状態では介在板７ｆ間の液袋７の袋面は張った状態に保てる。また液袋７内に封入した反応液９は、その介在板７ｆ間内を自由に流出入できる。次に図（ｄ）（ｅ）に示すように、密封状態にした液袋７の外側に前記の介在板７ｆと重なる位置で操作する操作部８を設け、その操作部８は中央に円状の操作孔８ｅと両側面が開口した筐体８ｃで形成する。その筐体８ｃ内には図のように弾性のある復元部８ｄと、その復元部８ｄ上に剣山のように円盤上に１乃至複数の針で各先端が鋭角状に形成した針部８ａを設ける。次にその操作部８を設けた液袋７を図１８（ｃ）に示すように袋体１内に貼り付けて固定し設ける。その状態で実際に液袋７を切り裂く操作を図（ｅ）で説明すると、まず筐体８ｃの中央の操作孔８ｅがある位置に袋体１の外側から人差指を当て、その位置で人差指を強く押し込むと、その力で袋体１の当接する面が凹み、同時に針状部８ａが内側へと押し込まれる。次に針部８ａに形成した針で袋体１に当接した部分が切り裂かれて穴が空く。そして人差指を離すと針状部８ａは復元部８ｄの弾性力で元の位置に戻り、切り裂かれて穴が空いた袋体１から反応液９が漏れ出し、発泡部１Ａの発泡剤と化学反応を起して気体を発生し始めるため、袋体１内はその発生した気体によって充満し、前実施例と同様に袋体１は浮力が得られるようになる。
【００４７】
図１７は、図１６で示した操作部８内に設けた針部８ａの替わりに、円盤状の上に環状の凹凸した刃の先端が鋭角状に形成したカッター部８ｂを設けたものである。この構成で前実施例と同様に操作孔８ｅ部分を人差指で強く押し込むと、カッター部８ｂが内側に押し込まれ、液袋７は環状の凹凸した刃によって切り裂かれる。そしてこの場合には液袋７は円状の開口ができ、そこから反応液９が漏れ出して発泡部１Ａの発泡剤と化学反応を起して気体を発生するため、同様に袋体１は浮力が得られるようになる。
【００４８】
この図１６、図１７の構成において、先端が鋭角状に形成した針や刃で液袋７の張られた袋面に力を垂直に加えて押圧することで、その押圧する方向の力はくさび作用によって袋面の開口を横方向に広げるように働くため、液袋７を切るのに針や刃を袋面に刺して横に引いて動かさなくても、袋面に対して押圧する垂直方向の力を加えるだけで、液袋７に大きな開口を空けることができる。またこの操作は、操作孔８ｅの部分に指を入れて力を入れながら押し込む意図する操作がない限り、液袋７が切り裂かれることはない。
【００４９】
図１８は、操作部８にラッチ構造を設けたもので、予めラッチ状態にある付勢部材３Ｂを袋体１の外から操作してそのラッチ状態を解除することで、付勢部材３Ｂの復元力で元の形状に戻る動きによって液袋７を切り裂くようにした実施例の構成を示す。筐体８ｃ内に図のように板ばねでなる付勢部材３Ｂを強い力で折り曲げた状態で設け、その付勢部材３Ｂの端部に外側に折り曲げた操作爪８ｆを形成する。そしてその操作爪８ｆを操作孔８ｅから突出させ、その折り曲げた端部を図のように引っ掛けてラッチした状態にしておく。この状態では付勢部材３Ｂに設けた針部８ａは液袋７に当接することがない。次に緊急時や必要時に袋体１の上から指で操作爪８ｆを下方に押下げると、その操作爪８ｆが引っ掛かってたラッチ状態が解除され、付勢部材３Ｂは負荷がかかった状態から無負荷の状態になるため、操作爪８ｆはその付勢部材３Ｂの復元力で操作孔８ｅ内へと引き込まれ、同時に付勢部材３Ｂに設けた針部８ａが液袋７を突き刺して切り裂くことになる。そして切り裂かれた液袋７に入ってた反応液９はどんどん漏れ出てくる。そして筐体８ｃの開口してる側面から、その反応液９が袋体１内の下方へとどんどん流れ、発泡部１Ａの発泡剤と化学反応を起して気体を発生するようになる。緊急時は冷静さを欠いてるため、なるべく単純な操作で液袋７を切り裂くことが望ましいが、本実施例の構成では簡単に操作することができる。尚、本実施例では板ばねによるラッチ構造の１例を示したが、板ばね等以外に付勢部材の性質（圧力を加えると変形して、その圧力を取り去ると元の形状に戻ろうとする力）を利用して、予めラッチした状態から緊急時や必要時にそのラッチ状態を解除させる構造にして、液袋７を切り裂くようにする構成であればよい。また液袋７を切り裂くのに針部８ａ以外にカッター部８ｂを設けて構成して実施してもよい。また操作爪８ｆが誤って作動しないように、操作爪８ｆの周りに図示しない適当な大きさの囲いを設けて構成してもよい。
【００５０】
図１９は、液袋７の実際に実施する上での実施例の構成を示したものである。液袋７内に予め８〜１０分目まで反応液９を封入しておくと、例えば図（ａ）に示すように液袋７上を踏んでしまった場合に、液袋７が破裂してしまう恐れがある。そのため液袋７内には液袋７が平薄状になるように予め４〜６分目まで反応液９を封入しておくことで、たとえ液袋７上を踏んでしまった場合でも、液袋７内の反応液９はその周りに流れ込み、液袋７内の内側に圧力が加わらなくなることで、液袋７が破裂することがない。その場合反応液９の液量は液袋７を大きく形成しておくことで、浮力が十分得られる液量分を封入しておける。また液袋７内に封入した反応液９が重力で下方に偏らないように、図（ｃ）に示すように液袋７内の内面を互いに接合した接合部７ｄを適当な箇所に形成することで、反応液９が下方に偏らないように構成できる。
【００５１】
本発明の液袋７はポリエチレン以外に適当な樹脂で形成してよく、引張りに強く切り裂きに弱い素材であれば液袋７を形成できる。また図１４〜図１９に示す実施例の構成で、前実施例と同様に弾性部材３Ａを袋体１内に予め圧縮した状態で設けておき、袋体１内で発生する気体で弾性部材３Ａが膨張し復元するように構成してもよい。また特に弾性部材３Ａを圧縮させず、圧力が加わってない状態の弾性部材３Ａを袋体１内に設けて構成してもよい。また各実施例とも反応液９と発泡部１Ａの発泡剤とが化学反応を起して気体を発生する構成であればよく、例えば反応液９を無菌水にして前実施例で示した水や海水と化学反応して気体を発生する発泡剤や、また反応液９を過酸化水素水と発泡剤を触媒となる二酸化マンガンで構成すれば、発生する気体は酸素であるため、溺れかかって酸欠状態で救助された時などは、この袋体１内に発生した酸素を吸引することで、すぐに酸欠状態から回復することができる。また図１４、図１５に示した構成において、予め液袋７に紐等を接続しておき、その紐を引張ることで液袋７を破るように構成してもよく、また引張った時に液袋７を切り裂く針や刃を予め具備しておき、その針や刃を液袋７に当接させて液袋７を切り裂くように構成してもよい。またポケット部１Ｂを袋体１の横側に設け、袋体１内に横向きに設けた液袋７を横方向から引張って切り裂くように構成してもよい。
【００５２】
図２０、図２１に示す実施例の構成は、袋体１の中空部１ｂ内に設けた発泡部１Ａの発泡剤と袋体１の中空部１ｂ内へと吸入する水とが十分に反応し、袋体１全体を十分に膨らませるようにした構成である。前述した図７〜図１０の実施例の構成は、水吸入口２ｄを開口すると復元部材３（弾性部材３Ａ又は付勢部材３Ｂ）の復元力によって袋体１の中空部１ｂ内に水が吸入してくるが、その吸入した水は発泡部１Ａの発泡剤とすぐ反応を始めて気体を発生し始める。そのため袋体１の中空部１ｂ内はその袋体１内へと吸入する水のみだけでなく、その発生した気体によっても負圧状態が無くなっていくことになる。そのため袋体１の中空部１ｂ内へと一気に多くの水を吸入させる必要があり、その場合復元部材３（弾性部材３Ａ又は付勢部材３Ｂ）の復元速度との関係があり、その設定は難しい。そこで図２０、図２１に示す実施例の構成は、予め袋体１の中空部１ｂ内に袋体１全体を膨らますのに十分な量の発泡剤を設けておき、その袋体１の中空部１ｂ内へと適当量の水が吸入した後で、その吸入した水と前記の発泡剤とが反応を始めるようにした構成である。その各実施例の構成を次に詳述する。
【００５３】
図２０において、袋体１の中空部１ｂ内にスポンジやウレタンフォーム等の弾性部材３Ａを予め充填しておき、袋体１全体をプレス機等でプレスして、弾性部材３Ａを十分圧縮して袋体１の中空部１ｂ内の空気を抜いた後、水吸入口２ｄを密閉状態に塞ぐ。その状態では袋体１全体をプレスした圧力を取り去っても、袋体１は中の空気が抜けた圧縮された平薄状態を維持する。そして袋体１内の底面に予め袋体１全体を十分膨らます量の発泡剤を設けておき、その発泡剤の上側全体を水に溶ける水溶材１１で覆って発泡部１Ａを形成する。この状態で図のようにベスト状にした袋体１を装着した装着者が、実際に溺れかけた時にその装着者が引張り孔７ｃに指を入れて力強く引張ると、その力で水吸入口２ｄは開口して同時に袋体１内に設けた弾性部材３Ａの復元力が働いて、その元の形状に戻る間水吸入口２ｄから水が吸入され、その水は吸入チューブ２内を流れていき発泡部１Ａ上へと注がれる。そしてその吸入した水がどんどん溜まっていく。その溜まってる間発泡剤は水溶材１１で覆われてるため、吸入した水はすぐには発泡剤と反応することがなく、水溶材１１が吸入した水で溶かされた後にその水との反応を始める。そのため水溶材１１が溶けるまで袋体１の中空部１ｂ内はずっと負圧状態を維持し続け、その間反応に必要な適当量の水を袋体１の中空部１ｂ内へと吸入させることができる。そのため予め袋体１の中空部１ｂ内に袋体１全体を膨らますのに十分な発泡剤を設けておき、その後適当量の水を吸入してその発泡剤と反応させることで、袋体１全体を十分膨らまし十分な浮力を得られるようになる。実際に発泡剤と吸入した水とが反応を始めるのに、どの程度時間を遅らして反応させるかの設定は、水溶材１１の厚みや材質で適当に設定することができる。発泡剤は予め粉状に形成しておくことで、その粉状の発泡剤と吸入した水とが反応を始めると一気に気体を発生するため、袋体１全体を素早く膨らますことができる。水に溶ける水溶材１１の材料としては、水と反応して溶ける材料で形成でき、例えばオブラートのようなじゃがいもやさつまいもの澱粉から造られる植物性の多糖質水溶性フィルムや、ＰＶＡ（ポリビニールアルコール）を主成分とする水溶性プラスチックフィルムやポバール樹脂でなる水溶性プラスチックフィルム等で実施できる。尚、図２０（ａ）の構成においては、袋体１の中空部１ｂ内に充填した弾性部材３Ａと発泡部１Ａとの間に十分な水が溜まるように、適当な間隙を予め設けておく。また吸入した水が弾性部材３Ａに吸収されないように、弾性部材３Ａの下面を水が浸透しない素材で予め覆っておいてもよい。図２０（ｂ）は発泡部１Ａの実際に実施する実施例の構成を示すものである。予めソーセージのように水溶性フィルムの水溶材１１の中に発泡剤を充填して内包状態にしておき、その発泡剤を内包した発泡部１Ａをそのまま袋体１の中空部１ｂ内に設けることで、本発明を簡単に実施できる。その構成では製作が非常に簡単であると同時に、安定して確実に実施できる。袋体１は湿気を通さない素材で形成するか、または袋体１内に予め乾燥剤を一緒に入れておいてもよい。図２０（ｃ）は、さらに安定して確実に実施できるようにした構成である。袋体１の中空部１ｂ内の底に図のように分室の貯水部１０を設けておき、その貯水部１０内に図２０（ｂ）で示した発泡部１Ａを設けた構成である。その構成で予め圧縮してあった弾性部材３Ａが復元すると、貯水部１０内の空気は通気口１０ａから袋体１の中空部１ｂ内へと吸引され、同時に水吸入口２ｄから水を吸入し始め、その水は吸入チューブ２内を流れて貯水部１０内へとどんどん流入する。そしてその流入した水によってやがて水溶材１１が溶かされると、その流入した水と内包した発泡剤とが反応を始めて気体をどんどん発生し、その発生した気体は通気口１０ａを通って袋体１の中空部１ｂ内へと流入しながら充満していき、袋体１全体をその発生した気体によって膨らますことができる。この図２０（ｃ）の構成では、吸入した水が貯水部１０内で確実に溜まっていき、発泡剤と確実に反応する構成であるため、本発明を安定して確実に実施でき品質を定常化できる構成である。
【００５４】
図２１は、図２０と同様の効果が得られる実施例の構成を示したものである。その構成は袋体１の中空部１ｂ内に吸入した適当量の水を一旦貯水する貯水部１０を設けておき、袋体１の中空部１ｂ内へと吸入したその適当量の水が貯水すると、その貯水した水は袋体１の中空部１ｂ内で流入し始め、その水が袋体１の中空部１ｂ内の底面に設けた発泡部１Ａの発泡剤上に注がれ反応するようにした構成である。図２１（ａ）において、その状態では袋体１内の弾性部材３Ａは圧縮されたままで袋体１全体は平薄状態になっている。その状態で水吸入口２ｄは密閉状態に塞がれており、その状態では水が袋体１の中空部１ｂ内に吸入されることはない。次に装着者が溺れかけた緊急時に、水中で引張り孔７ｃに指を掛けて力強く引張ると、図２１（ｃ）（ｄ）に示すように水吸入口２ｄが開口し、同時に弾性部材３Ａの復元力でその元の形状に戻る間、水吸入口２ｄから水を吸入し始める。そしてその吸入した水は吸入チューブ２内を流れた後、貯水容器１０Ａ内へとどんどん貯水していき、それと同時に貯水容器１０Ａ内の空気は通気口１０ａから吸引されて流出していく。そして貯水容器１０Ａ内に貯水した水が、その貯水容器１０Ａ内に設けた逆Ｕ字形チューブ１０ｂの頂上ｈの高さ以上に貯水すると、サイホンの原理で貯水容器１０Ａ内に貯水した水はその逆Ｕ字形チューブ１０ｂ内へと流入し始め、袋体１の中空部１ｂ内の発泡部１Ａの発泡剤上へと注がれ始める。そしてこの時点で初めて袋体１内に吸入した水が発泡剤と反応し気体を発生し始める。この気体が発生してる間その発生した気体で袋体１の中空部１ｂ内の負圧状態が変わっても、その負圧状態の変化に全く影響されることなく、貯水容器１０Ａ内の水は流れ続け、そして逆Ｕ字形チューブ１０ｂの流入口の高さまでずっと流れ続ける。そのため袋体１の中空部１ｂ内に予め袋体１全体を十分に膨らます発泡剤と、その発泡剤と反応する適当量の水を一旦貯水容器１０Ａ内に貯水する構成にすることで、緊急時に袋体１内を十分膨らまして浮力が得られるよう確実にできる。例えば水吸入口２ｄを開口して吸入した水を一旦適当量貯水しておき、その水が１０秒から２０秒後に発泡剤上に注がれて袋体１が膨らむ構成にした場合、その１０秒から２０秒の間たとえ装着者が溺れててもすぐ浮くようになって助かることができる。この貯水容器１０Ａ内に一旦貯水する適当量の水量は、その容器の大きさで適当に設定してよく、その貯水する水量によって約何秒後に発泡剤と反応させるかを設定することができる。前述した図７〜図１０の実施例の構成では、確実に袋体１全体を十分膨らますのに設定が難しかったが、図２０、図２１に示した構成では袋体１全体を確実に十分膨らますことができ、その構成では何万回実施しても確実に袋体１全体を膨らますことができる。前記の貯水容器１０Ａは例えば適当に厚みのあるポリエチレンや塩化ビニル等で形成でき、また図２１で示す袋体１の中空部１ｂ内の底面に、前記図２０（ｂ）で示した発泡剤を水溶材１１で内包した発泡部１Ａを設けて実施することもでき、その場合はその水溶材１１が数秒で溶けるように設定して実施できる。尚、図２０、図２１の構成で袋体１内に発生した気体が外に漏れないように、水吸入口２ｄに逆流を防止する逆止弁を設けてもよい。また図２０で示した構成で、水吸入口２ｄを設ける位置は、肩の部分より胴回りに設けた方が確実に水や海水を吸い込むことができる。
【００５５】
図２０、図２１に示した手段の構成以外で、他の手段での実施例の構成としては、例えば図２０（ｄ）で示すように、貯水容器１０Ａの底を水に溶ける水溶材１１で形成するか、又は貯水容器１０Ａ全体を水溶材１１で形成しておき、適当量の水が貯水容器１０Ａ内に溜まるとその水溶材１１が溶け、その時点で中に溜まった水が自動的に落下するように構成しても良い。また貯水容器１０Ａ内に適当量溜まった水の自重によって自動的にその水が落下するような構成にしても良い。いずれの手段も袋体１内に適当量の水が吸入すると、適当な時間後にその吸入した水が自動的に発泡剤と反応する構成であれば良い。
【００５６】
本発明の救命浮き袋は、水泳時や作業時に胴衣として体に平薄状態で装着できるもので、どの実施例の構成も袋体１の外からの操作によって袋体１内を膨らまして浮力を得るようにした構成であり同じ共通の技術的特徴を持つ発明である。
【符号の説明】
【００５７】
１  ：  袋体
１Ａ  ：  発泡部（気体発生部）
１Ｂ  ：  ポケット部
１ａ  ：  空気流入口
１ｂ  ：  中空部
１ｃ  ：  連通孔
２  ：  吸入チューブ
２ａ  ：  空気吸入口
２ｂ  ：  固定部
２ｃ  ：  空気弁
２ｄ  ：  水吸入口
３  ：  復元部材
３Ａ  ：  弾性部材
３Ｂ  ：  付勢部材
３ａ  ：  凹凸部
４  ：  係止バンド
５  ：  フィルタ
６  ：  筒体
７  ：  液袋
７ａ  ：  切り込み
７ｂ  ：  開口部
７ｃ  ：  引張り孔
７ｄ  ：  接合部
７ｅ  ：  貼付け部
７ｆ  ：  介在板
８  ：  操作部
８ａ  ：  針部
８ｂ  ：  カッター部
８ｃ  ：  筐体
８ｄ  ：  復元部
８ｅ  ：  操作孔
８ｆ  ：  操作爪
９  ：  反応液
１０  ：  貯水部
１０Ａ  ：  貯水容器
１０ａ  ：  通気口
１０ｂ  ：  逆Ｕ字形チューブ
１１  ：  水溶材
【図１】
0005563404.tif 000004
【図２】
0005563404.tif 000005
【図３】
0005563404.tif 000006
【図４】
0005563404.tif 000007
【図５】
0005563404.tif 000008
【図６】
0005563404.tif 000009
【図７】
0005563404.tif 000010
【図８】
0005563404.tif 000011
【図９】
0005563404.tif 000012
【図１０】
0005563404.tif 000013
【図１１】
0005563404.tif 000014
【図１２】
0005563404.tif 000015
【図１３】
0005563404.tif 000016
【図１４】
0005563404.tif 000017
【図１５】
0005563404.tif 000018
【図１６】
0005563404.tif 000019
【図１７】
0005563404.tif 000020
【図１８】
0005563404.tif 000021
【図１９】
0005563404.tif 000022
【図２０】
0005563404.tif 000023
【図２１】
0005563404.tif 000024